(57)【要約】【課題】組立作業を容易とすることができる拡散器を提供する。【解決手段】薬剤瓶３から延出した吸上芯９６を、内部構成体１３に設けられた挿通穴９７を介して上方へ延出する。挿通穴９７を横長の楕円形の開口部で構成する。挿通穴９７の短軸９９の長さ寸法を、吸上芯９６の直径とほぼ同寸法に設定し、当該吸上芯９６の前後方向への移動を阻止する。支柱１０１に設けられたヒータ１０２の加熱部１０４を円筒状に形成し、挿通穴９７の真上に配置する。加熱部１０４の直径Ｄを、挿通穴９７の短軸９９の長さ寸法より大きな寸法に設定し、加熱部１０４を吸上芯９６に遊嵌する。吸上芯９６で吸い上げられた薬剤を加熱部１０４で外周部から加熱して薬剤の蒸散を促進するとともに、蒸散した薬剤を揮散穴を介して外部に揮散する。【選択図】図５
2007229384.tif 000002
【特許請求の範囲】
【請求項１】
拡散器本体にセットされた薬剤容器の吸上芯が挿通する挿通穴を備えた構成部品と、前記挿通穴を挿通した前記吸上芯に遊嵌する筒状の加熱部とを備えた拡散器において、
前記挿通穴を、前記吸上芯に適合した形状の開口部分と、該開口部分の周囲の少なくとも一部に連続して設けられた空気通流部とで構成したことを特徴とする拡散器。
【請求項２】
前記挿通穴が設けられた壁面に、前記吸上芯を前記挿通穴に案内する傾斜面を形成したことを特徴とする請求項１記載の拡散器。
【請求項３】
前記挿通穴を楕円形の開口部で構成するとともに、該挿通穴の短軸の長さ寸法を、円筒状に形成された前記加熱部の直径より短く設定したことを特徴とする請求項１又は２記載の拡散器。
【発明の詳細な説明】
【技術分野】
【０００１】
本発明は、薬剤を気化して拡散させる拡散器に関する。
【背景技術】
【０００２】
従来、薬剤瓶に収容された液状薬剤を気化して放出する際には、拡散器が用いられていた（例えば、特許文献１）。
【０００３】
この拡散器は、薬剤瓶を拡散器本体にセットする際に、前記薬剤瓶から延出した吸上芯を取付部材に設けられた挿通穴へ挿通するとともに、その上部に設けられた円筒状の加熱部に遊嵌するように構成されており、前記吸上芯を外周部から加熱部で加熱することによって、当該吸上芯で吸い上げられた薬剤の蒸散効率を高めるように構成されている。
【０００４】
前記挿通穴の周囲部には、振り止めガイドが上方へ向けて突設されており、前記吸上芯の位置ずれを防止できるように構成されている。これにより、前記吸上芯が位置ずれし、その一部が前記加熱部に接触する状態を回避できるように構成されており、前記加熱部による効率的な蒸散効果が確保できるように構成されている。
【特許文献１】特開２００２−２００１５２号公報
【発明の開示】
【発明が解決しようとする課題】
【０００５】
しかしながら、このような拡散器にあっては、吸上芯が挿通する挿通穴の周囲部に細長の振り止めガイドが複数突設されているため、組立時に配線や他部材が引っ掛かる恐れがあった。
【０００６】
これにより、配線の引き回しなどの組立作業を慎重に行う必要があり、組立時には苦労を要した。
【０００７】
本発明は、このような従来の課題に鑑みてなされたものであり、組立作業を容易とすることができる拡散器を提供することを目的とするものである。
【課題を解決するための手段】
【０００８】
前記課題を解決するために本発明の請求項１の拡散器にあっては、拡散器本体にセットされた薬剤容器の吸上芯が挿通する挿通穴を備えた構成部品と、前記挿通穴を挿通した前記吸上芯に遊嵌する筒状の加熱部とを備えた拡散器において、前記挿通穴を、前記吸上芯に適合した形状の開口部分と、該開口部分の周囲の少なくとも一部に連続して設けられた空気通流部とで構成した。
【０００９】
すなわち、薬剤容器の吸上芯が挿通する挿通穴は、吸上芯に適合した形状の開口部分と、該開口部分の周囲の少なくとも一部に連続して設けられた空気通流部とで構成されている。このため、この挿通穴を挿通した前記吸上芯は、前記挿通穴の前記開口部分に挿入された状態で不用意な移動が防止される。
【００１０】
そして、前記開口部分の周囲の少なくとも一部には、空気通流部が連続して設けられており、前記吸上芯を前記挿通穴の前記開口部分に挿入した状態において、当該吸上芯の外周部には、前記空気通流部が空き空間として確保される。
【００１１】
また、請求項２の拡散器においては、前記挿通穴が設けられた壁面に、前記吸上芯を前記挿通穴に案内する傾斜面を形成した。
【００１２】
すなわち、前記吸上芯を前記挿入穴に挿入する際には、前記挿入穴が開口した壁面の傾斜面に沿って前記吸上芯が案内される。
【００１３】
さらに、請求項３の拡散器では、前記挿通穴を楕円形の開口部で構成するとともに、該挿通穴の短軸の長さ寸法を、円筒状に形成された前記加熱部の直径より短く設定した。
【００１４】
すなわち、薬剤容器の吸上芯が挿通する挿通穴は、楕円形の開口部で構成されている。このため、この挿通穴を挿通した前記吸上芯は、前記挿通穴の短軸方向に位置する開口縁に当接することによって、前記短軸方向への移動が防止される。
【００１５】
また、前記挿通穴は楕円形に形成されており、短軸方向での幅寸法は、当該挿通穴の中心部にて最大となるように構成されている。このため、当該挿通穴を挿通した吸上芯が、当該挿通穴の中心から長軸方向へ移動しようとした場合、当該挿通穴の短軸方向に位置する開口縁に当接することとなり、当該長軸方向への移動が規制される。これにより、前記吸上芯は、前記挿通穴の中心部に位置決めされる。
【００１６】
そして、前記吸上芯が前記挿通穴の中心部に位置決めされた状態においては、前記吸上芯の前記長軸方向側部に、空き空間が確保される。
【００１７】
また、前記挿通穴の短軸の長さ寸法は、前記加熱部の直径より短く設定されている。このため、前記挿通穴によって位置決めされる前記吸上芯は、円筒状に形成された前記加熱部への干渉が確実に防止される。
【発明の効果】
【００１８】
以上説明したように本発明の請求項１の拡散器にあっては、吸上芯を挿通穴の開口部分に挿通した状態で当該吸上芯の不用意な移動を阻止することができる。これにより、前記挿通穴の周囲部に細長の振り止めガイドを突設すること無く、前記吸上芯の前記加熱部への不用意な接触を防止することができる。
【００１９】
したがって、組立時に配線や他部材が引っ掛かりが生じ得る前記振り止めガイドを廃止することができるため、組立作業性を向上することができる。
【００２０】
そして、前記吸上芯を前記挿通穴の前記開口部分に挿入した状態において、当該吸上芯の外周部には、空気通流部を空き空間として確保することができる。
【００２１】
このため、前記加熱部の熱で発生した空気の流れを、前記空気通流部を介してその下方から上方へ対流させることができる。これにより、前記吸上芯から蒸散された薬剤の拡散効率を高めることができる。
【００２２】
また、請求項２の拡散器においては、前記挿通穴が設けられた壁面に、前記吸上芯を前記挿通穴に案内する傾斜面を形成することで、前記吸上芯を前記挿入穴に挿入する際に、前記挿入穴が開口した壁面の傾斜面に沿って前記吸上芯を案内することができる。
【００２３】
これにより、前記吸上芯を挿通穴に挿入する際に、当該吸上芯が前記挿入穴近傍の壁面に当接して折れてしまうといった不具合を確実に防止することができる。
【００２４】
さらに、挿入穴が、加熱部近傍にある為、吸液芯が加熱部に接触することを、より確実に回避することができる。
【００２５】
さらに、請求項３の拡散器では、薬剤容器の吸上芯が挿通する挿通穴を、楕円形の開口部で構成したため、この挿通穴を挿通した前記吸上芯を、前記挿通穴の短軸方向に位置する開口縁に当接することによって、前記短軸方向への移動を規制することができる。また、前記挿通穴を挿通した吸上芯が、当該挿通穴の中心から長軸方向へ移動しようとした場合には、当該挿通穴の短軸方向に位置する開口縁に当接することによって、当該吸上芯の前記長軸方向への移動を規制することができる。
【００２６】
このため、前記吸上芯の前記挿通穴における短軸方向及び長軸方向への移動を防止することができ、当該吸上芯を、前記挿通穴の中心部に位置決めすることができる。
【００２７】
そして、前記吸上芯が前記挿通穴の中心部に位置決めされた状態においては、前記吸上芯の前記長軸方向側部に、空き空間を確保することができる。
【００２８】
このため、前記加熱部の熱で発生した空気の流れを、前記空き空間を介してその下方から上方へ対流させることができ、前記吸上芯から蒸散された薬剤の拡散効率を高めることができる。
【００２９】
そして、楕円形に形成された前記挿通穴の短軸の長さ寸法を、前記加熱部の直径より短く設定することで、前記挿通穴で位置決めされた前記吸上芯の前記加熱部への干渉を確実に防止することができる。
【発明を実施するための最良の形態】
【００３０】
（第１の実施の形態）
【００３１】
以下、本発明の第１の実施の形態を図に従って説明する。図１は、本実施の形態にかかる拡散器としての芳香器１を示す図である。該芳香器１は、芳香器本体２にセットされた薬剤容器としての薬剤瓶３内の液状薬剤を気化して放出する装置であり、当該芳香器１は、トイレや居住空間で使用されるものである。
【００３２】
この芳香器１の拡散器本体としての芳香器本体２は、図２にも示すように、後壁面を形成する後カバー１１と、該後カバー１１の前側に取り付けられる前カバー１２と、該前カバー１２と前記後カバー１１との間に配置される構成部品としての内部構成体１３とで構成されている。
【００３３】
前記後カバー１１は、光を透過しない有色の不透明な樹脂によって前方が開口した容器状に形成されており、その下部には、切欠部２１が設けられている。前記後カバー１１は、上部が断面円弧状に形成されており、その中央部には、薬剤を揮散する為の揮散穴２２が開設されている。
【００３４】
また、前記後カバー１１の上部には、内側に延出する一対の係止ピン３１，３１が前記揮散穴２２より前方側に設けられており、当該後カバー１１の側面には、前後方向に延在する上部リブ３２，３２と、支持リブとしての下部リブ３３，３３とが左右の部位に設けられている。前記下部リブ３３，３３の前端部には、リブ挿通穴３４，３４が設けられており、固定用のタッピンねじ３５，３５を挿通できるように構成されている。
【００３５】
この後カバー１１の側面上部には、図１に示したように、複数のスリット４１，・・・からなる空気取入口４２，４２が左右に形成されており、該空気取入口４２，４２から芳香器本体２内に外部の空気を取り込めるように構成されている。前記空気取入口４２，４２の各スリット４１，・・・は、断面円弧状に形成された前記後カバー１１の上部に設けられており、当該後カバー１１の下部側面に設けられた場合と比較して、当該芳香器本体２の中心寄りに配置されるように構成されている。
【００３６】
前記後カバー１１には、図２に示したように、軸部４４を介してスライド板４５が支持されており、スライド板４５は、前記軸部４４を中心に回動できるように構成されている。前記スライド板４５には、操作ノブ４６が突設されており、該操作ノブ４６は、前記後カバー１１に設けられた操作ノブ挿通穴４７を介して外部に延出している。
【００３７】
これにより、前記操作ノブ４６を操作して前記スライド板４５を前記軸部４４を中心に回動することによって、当該スライド板４５が前記空気取入口４２，４２を構成する各スリット４１，・・・の開口面積を可変できるように構成されている。
【００３８】
前記後カバー１１の下部には、一対の矩形穴７１が設けられており、前記内部構成体１３に設けられたコンセントプラグ７２，７２を前記矩形穴７１，７１を介して、当該後カバー１１より後方へ延出できるように構成されている。また、前記後カバー１１の下縁中央部には、係止爪７３が上方へ向けて突設されている。
【００３９】
前記内部構成体１３は、光を透過する透光性を有した半透明の樹脂で形成されており、中央部に設けられた中央板８１を中心に構成されている。該中央板８１の左右側縁部には、一般部８２より一段高い支持片としての段差面８３，８３が形成されており、当該中央板８１が補強されている。
【００４０】
該中央板８１には、上方に膨出した円形膨出部９１が形成されており、該円形膨出部９１には、その下方から前記薬剤瓶３の首部が挿入されるように構成されている。前記中央板８１の後縁には、下方に垂下する挟持板９２が設けられており、該挟持板９２と前記中央板８１に形成された前記段差面８３との間には、間隙８４，８４が形成されている。前記挟持板９２の下縁中央には、凹部９３が形成されており、該凹部９３には、前記後カバー１１に設けられた前記係止爪７３が係合するように構成されている。
【００４１】
前記挟持板９２は、前記前カバー１２の下部と対向するように構成されており、当該挟持板９２は、図１に示したように、前記前カバー１２との間に配置された前記薬剤瓶３の瓶本体９５を前記前カバー１２と共に前後から挟持できるように構成されている。これにより、前記挟持板９２と前記前カバー１２とで挟持された前記薬剤瓶３は、その首部が前記円形膨出部９１に挿入された状態で保持されるとともに、図３及び図４に示すように、前記首部より延出した吸上芯９６が前記円形膨出部９１に設けられた挿通穴９７を介して上方へ延出するように構成されている。これにより、当該芳香器本体２の下部には、図１に示したように、前記薬剤瓶３が下方からセットされる下方開口状の容器保持空間９８が形成されている。
【００４２】
前記内部構成体１３の前記円形膨出部９１天面に設けられた前記挿通穴９７は、図５にも示すように、横長の楕円形の開口部で構成されており、円柱状に形成された前記吸上芯９６の断面形状に適合した円形状の開口部分９７ａと、該開口部分９７ａの周囲の左右側部に連続して設けられた空気通流部９７ｂ，９７ｂとで構成されている。
【００４３】
この挿通穴９７は、短軸９９が前記後カバー１１及び前記前カバー１２側へ向けた前後方向に延在するとともに、長軸１００が前記挟持板９２に沿って延在するように配置されている。前記短軸９９の長さ寸法は、前記吸上芯９６の直径とほぼ同寸法に設定されており、当該吸上芯９６の前後方向への移動が阻止されるように構成されている。
【００４４】
前記中央板８１の後縁部には、図３及び図４に示すように、矩形状の支柱１０１が前記円形膨出部９１に沿って立設されており、この支柱１０１の上端部には、ヒータ１０２が設けられている。該ヒータ１０２は、前記支柱１０１を介して前記内部構成体１３に支持されており、当該ヒータ１０２で加熱される加熱部１０４は、前記円形膨出部９１に設けられた前記挿通穴９７の真上に配置されるように構成されている。
【００４５】
このヒータ１０２の前記加熱部１０４は、円筒状に形成されており、前記薬剤瓶３より延出した前記吸上芯９６に遊嵌し、該吸上芯９６の外周部を包囲する位置に配置されている。また、前記加熱部１０４の直径Ｄは、図５に示したように、楕円形の開口部で構成された前記挿通穴９７の短軸９９の長さ寸法より大きな寸法に設定されており、当該加熱部１０４は、前記吸上芯９６に遊嵌するように構成されている。これにより、前記吸上芯９６で吸い上げられた薬剤を前記ヒータ１０２の前記加熱部１０４で外周部から加熱することによって、当該薬剤の蒸散を促進するとともに、蒸散した薬剤を前記揮散穴２２を介して外部に揮散できるように構成されている。
【００４６】
前記ヒータ１０２には、図３にも示したように、電極１１１，１１１が設けられており、該電極１１１，１１１は、接続線１１２，１１２を介して制御基板１１３に接続されている。該制御基板１１３は、前記挟持板９２の裏面に沿って固定されており、当該制御基板１１３の下部には、家庭用のＡＣコンセントに差し込まれる前記コンセントプラグ７２，７２が設けられている。
【００４７】
また、この制御基板１１３には、図４にも示したように、前記ＡＣコンセントから供給された電源で発光する発光体としての左発光ダイオード１２１及び右発光ダイオード１２２が接続されており、各発光ダイオード１２１，１２２は、前記円形膨出部９１の両脇に設けられたリブ１２３，１２３に係止された状態で固定されている。これにより、前記両発光ダイオード１２１，１２２が、前記支柱１０１及び前記ヒータ１０２より前カバー１２側に配置されるように構成されている。
【００４８】
前記円形膨出部９１の側部には、サブ基板１３１が設けられており、該サブ基板１３１は、前記制御基板１１３に接続されている。該サブ基板１３１には、スイッチ１３２が設けられており、該スイッチ１３２に設けられた操作部１３３は、前記後カバー１１に設けられたスイッチ穴１３４を介して（図２参照）、当該後カバー１１の側部に突出するように構成されている。
【００４９】
前記円形膨出部９１に設けられた各リブ１２３，１２３の端部には、上下に延在する円筒部１４１，１４１が形成されており、該円筒部１４１，１４１は、前記段差面８３，８３に突設されるとともに該段差面８３，８３を貫通して下方に開口するように構成されている。これにより、前記段差面８３の下方から挿入された固定用のタッピンねじ３５，３５を前記円筒部１４１，１４１に螺入できるように構成されている。
【００５０】
前記前カバー１２は、図２及び図６に示したように、前記内部構成体１３と同様に光を透過する透光性を有した半透明の樹脂で形成されており、該前カバー１２は、縦長の楕円形状に形成されている。この前カバー１２の前面は、緩やかに湾曲した凹凸の無い平坦面で構成されており、その周縁部には、凸条部１５１が全周に渡って形成されている。これにより、この凸条部１５１の内側は、フィルム等の貼着物を貼着可能な貼着面１５２を構成している。
【００５１】
前記前カバー１２の上部には、後方に延出した上部支持片１６１，１６１が設けられており、両上部支持片１６１，１６１には、係止穴１６２，１６２が設けられている。この上部支持片１６１，１６１の前記係止穴１６２，１６２には、前記後カバー１１に突設された前記係止ピン３１，３１が挿入された状態で係止されるよう構成されており（図２参照）、当該前カバー１２の上部を前記後カバー１１に固定できるように構成されている。
【００５２】
この前カバー１２の下部中央には、突出部１７１が突設されており、該突出部１７１は、前記薬剤瓶３の前記瓶本体９５に設けられた凸部１７２を下方から支持し（図３参照）、当該薬剤瓶３の不用意な離脱を防止できるように構成されている。前記突出部１７１の両脇には、図６に示したように、前記後カバー１１側へ向けて延出する延出片１７３，１７３が設けられており、両延出片１７３，１７３は、断面Ｌ字状に形成されている。各延出片１７３，１７３には、円形の延出片挿通穴１７４，１７４が設けられており、固定用のタッピンねじ３５，３５を挿通できるように構成されている。
【００５３】
そして、図７に示すように、前記後カバー１１に設けられた前記下部リブ３３，３３上に、前記前カバー１２に設けられた前記延出片１７３，１７３を載置した状態で支持できるように構成されており、前記前カバー１２に設けられた前記延出片１７３，１７３上には、前記内部構成体１３に設けられた前記段差面８３，８３を載置した状態で支持できるように構成されている。
【００５４】
これにより、前記後カバー１１の前記下部リブ３３，３３に設けられた前記リブ挿通穴３４，３４及び前記前カバー１２の前記延出片１７３，１７３に設けられた前記延出片挿通穴１７４，１７４を挿通するタッピンねじ３５，３５を、前記内部構成体１３の前記段差面８３，８３に突設された円筒部１４１，１４１に螺入して、前記後カバー１１の前記下部リブ３３，３３と前記内部構成体１３の前記段差面８３，８３との間に前記前カバー１２の前記延出片１７３，１７３を挟持した状態で、前記後カバー１１と前記内部構成体１３と前記前カバー１２とを固定できるように構成されている。
【００５５】
この固定状態において、前記後カバー１１と前記前カバー１２と前記内部構成体１３とを固定する固定位置１９１は、前記各発光ダイオード１２１，１２２の下部であって、各発光ダイオード１２１，１２２の発光面より前記後カバー１１側に設定されている。また、前記内部構成体１３に設けられた前記各発光ダイオード１２１，１２２から前記前カバー１２までの間は、空虚な空間１９２となるように構成されている。
【００５６】
以上の構成にかかる本実施の形態において、薬剤瓶３の吸上芯９６が挿通する内部構成体１３の挿通穴９７は、楕円形の開口部で構成されている。このため、この挿通穴９７を挿通した前記吸上芯９６は、前記挿通穴９７の短軸９９方向に位置する開口縁に当接することによって、前記短軸９９方向への移動が阻止される。
【００５７】
また、前記挿通穴９７は、前記吸上芯９６の断面形状に適合した円形状の開口部分９７ａと、該開口部分９７ａの左右側部に連続して設けられた空気通流部９７ｂ，９７ｂとによって楕円形に形成されており、前記開口部分９７ａの直径を示す前記短軸９９方向での幅寸法は、当該挿通穴９７の中心部にて最大となるように構成されている。このため、当該挿通穴９７を挿通した吸上芯９６が、当該挿通穴９７の中心から長軸１００方向へ移動しようとした場合、当該挿通穴９７の短軸９９方向に位置する開口縁に当接することとなり、当該長軸１００方向への移動も規制される。
【００５８】
このため、前記吸上芯９６は、前記挿通穴９７の短軸９９方向及び長軸１００方向への移動が防止され、当該吸上芯９６を前記挿通穴９７の中心部に位置決めすることができる。これにより、前記挿通穴９７の周囲部に細長の振り止めガイドを突設すること無く、前記吸上芯９６の前記加熱部１０４への不用意な接触を防止することができる。
【００５９】
したがって、組立時に配線や他部材が引っ掛かりが生じ得る前記振り止めガイドを廃止することができるため、組立作業性を向上することができる。
【００６０】
そして、前記吸上芯９６が前記挿通穴９７の中心部、すなわち前記開口部分９７ａに位置決めされた状態においては、図５にも示すように、前記吸上芯９６の前記長軸１００方向側部に、前記空気通流部９７ｂで構成された空き空間Ｋを確保することができる。
【００６１】
このため、前記加熱部１０４の熱で発生した空気の流れを、前記空き空間Ｋを介してその下方から上方へ対流させることができる。これにより、前記吸上芯９６から蒸散された薬剤の拡散効率を高めることができる。
【００６２】
また、楕円形に形成された前記挿通穴９７の短軸９９の長さ寸法は、前記加熱部１０４の直径Ｄより短く設定されている。このため、前記挿通穴９７によって位置決めされる前記吸上芯９６は、円筒状に形成された前記加熱部１０４への干渉が確実に防止される。
【００６３】
なお、本実施の形態では、前記内部構成体１３における円形膨出部９１の天面を平坦に形成するとともに、この天面に前記吸上芯９６が挿通する前記挿通穴９７を設けた場合を例に挙げて説明したが、これに限定されるものではない。
【００６４】
（第２の実施の形態）
【００６５】
すなわち、図８及び図９に示すように、前記円形膨出部９１の天面を、前記挿通穴９７が設けられた中央部へ向かうに従って上方に突出した山形に形成することで、前記挿通穴９７が設けられた天面の裏側面に、前記吸上芯９６を前記挿通穴９７に案内する傾斜面２０１を形成することができる。
【００６６】
これにより、前記吸上芯９６を前記挿入穴９７へ挿入する際に、該挿入穴９７が開口した天面裏側の傾斜面２０１に沿って前記吸上芯９６を案内することができる。
【００６７】
これにより、前記吸上芯９６を前記挿通穴９７に挿入する際に、当該吸上芯９６が前記挿入穴９７近傍の壁面に当接して折れてしまうといった不具合を確実に防止することができる。
【００６８】
また、前記各実施の形態にあっては、前記吸上芯９６が挿通する挿通穴９７を、図１０の（ａ）に示すように、円柱状に形成された前記吸上芯９６の断面形状に適合した円形状の開口部分９７ａと、該開口部分９７ａの周囲の左右側部に連続して設けられた空気通流部９７ｂ，９７ｂとで構成し、横長の楕円形状に形成した場合を例に挙げて説明したが、これに限定されるものではない。
【００６９】
（第３の実施の形態）
【００７０】
すなわち、前記挿通穴９７を、図１０の（ｂ）に示すように、円形状の開口部分３０１ａと、該開口部分３０１ａの周囲の四方に連続して設けられた空気通流部３０１ｂ，・・・とからなる正方形状に形成しても良い。
【００７１】
（第４の実施の形態）
【００７２】
また、前記挿通穴９７を、図１０の（ｃ）に示すように、円形状の開口部分３１１ａと、該開口部分３１１ａの周囲の四方に連続して設けられた空気通流部３１１ｂ，・・・とからなる菱形に形成しても良い。
【００７３】
（第５の実施の形態）
【００７４】
さらに、前記挿通穴９７を、図１１の（ａ）に示すように、円形状の開口部分３２１ａと、該開口部分３２１ａの周囲の左右に連続して設けられた空気通流部３２１ｂ，３２１ｂとからなる目形に形成しても良い。
【００７５】
（第６の実施の形態）
【００７６】
加えて、前記挿通穴９７を、図１１の（ｂ）に示すように、円形状の開口部分３３１ａと、該開口部分３３１ａの周囲の右方に連続して設けられた空気通流部３３１ｂとからなる形状に形成しても良い。
【００７７】
（第７の実施の形態）
【００７８】
そして、前記挿通穴９７を、図１１の（ｃ）に示すように、円形状の開口部分３４１ａと、該開口部分３４１ａの周囲より四方に延出した空気通流部３４１ｂ，・・・とからなる形状に形成しても良い。
【図面の簡単な説明】
【００７９】
【図１】本発明の第１の実施の形態を示す斜視図である。
【図２】同実施の形態の分解斜視図である。
【図３】同実施の形態の内部構成体を示す側面図である。
【図４】同実施の形態の内部構成体を示す平面図である。
【図５】同実施の形態の内部構成体からヒータを取り外した状態を示す平面図である。
【図６】同実施の形態の前カバーを示す斜視図である。
【図７】同実施の形態の要部の断面図である。
【図８】本発明の第２の実施の形態を示す断面図である。
【図９】同実施の形態を示す要部の断面図である。
【図１０】（ａ）は、本発明の第１の実施の形態を示す模式図で、（ｂ）は、本発明の第３の実施の形態を示す模式図で、（ｃ）は、本発明の第４の実施の形態を示す模式図である。
【図１１】（ａ）は、本発明の第５の実施の形態を示す模式図で、（ｂ）は、本発明の第６の実施の形態を示す模式図で、（ｃ）は、本発明の第７の実施の形態を示す模式図である。
【符号の説明】
【００８０】
１    芳香器
２    芳香器本体
３    薬剤瓶
１３    内部構成体
９６    吸上芯
９７    挿通穴
９７ａ  開口部分
９７ｂ  空気通流部
９９    短軸
１０２    ヒータ
１０４    加熱部
２０１    傾斜面
Ｄ    直径
Ｋ    空き空間
３０１ａ  開口部分
３０１ｂ  空気通流部
３１１ａ  開口部分
３１１ｂ  空気通流部
３２１ａ  開口部分
３２１ｂ  空気通流部
３３１ａ  開口部分
３３１ｂ  空気通流部
３４１ａ  開口部分
３４１ｂ  空気通流部
【図１】
2007229384.tif 000003
【図２】
2007229384.tif 000004
【図３】
2007229384.tif 000005
【図４】
2007229384.tif 000006
【図５】
2007229384.tif 000007
【図６】
2007229384.tif 000008
【図７】
2007229384.tif 000009
【図８】
2007229384.tif 000010
【図９】
2007229384.tif 000011
【図１０】
2007229384.tif 000012
【図１１】
2007229384.tif 000013